(57)【要約】      （修正有）【課題】画像表示装置外装の削れや塗装剥がれを防止し、外観品位を保つことができる撮像装置を提供する。【解決手段】撮像装置は、装置本体と、画像表示部７１を有する平板状の画像表示装置７０と、装置本体に対し、画像表示装置７０の画像表示部７１短辺側側面の一端に設けられ、画像表示装置７０を回動可能に支持する機構部８０と、を備える。画像表示装置７０のフレーム部の一部は、樹脂部材で形成された第１のフレーム部７３で構成され、第１のフレーム部７３は、画像表示装置７０の画像表示部７１長辺側両側面の機構部８０から離れた位置にフレーム部外形よりも凹である凹部７４を有し、凹部近傍には、フレーム部外形よりも凸である凸部７５を有する。【選択図】図１
2018105949.tif 000002
【特許請求の範囲】
【請求項１】
装置本体（１０）と、
画像表示部（７１）を有する平板状の画像表示装置（７０）と、
装置本体（１０）に対し、前記画像表示装置（７０）の画像表示部（７１）短辺側側面の一端に設けられ、前記画像表示装置（７０）を回動可能に支持する機構部（８０）と、を備え、
前記画像表示装置（７０）のフレーム部の一部は、樹脂部材で形成された第１のフレーム部（７３）で構成され、
第１のフレーム部（７３）は、前記画像表示装置（７０）の画像表示部（７１）長辺側両側面の機構部（８０）から離れた位置にフレーム部外形よりも凹である凹部（７４）を有し、
凹部近傍には、フレーム部外形よりも凸である凸部（７５）を有する、ことを特徴とする撮像装置。
【請求項２】
前記凸部は、画像表示装置板厚方向に延びていることを特徴とする請求項１に記載の撮像装置。
【請求項３】
前記凸部は、前記凹部の一部を板厚方向に挟むように設けられていることを特徴とする請求項１に記載の撮像装置。
【請求項４】
前記凸部は、前記凹部の一部を囲うようにコの字形状に設けられていることを特徴とする請求項１に記載の撮像装置。
【請求項５】
前記凹部は、長辺側側面から短辺側側面まで2面に跨って設けられていることを特徴とする請求項１乃至４のいずれか１項に記載の撮像装置。
【請求項６】
前記画像表示装置のフレーム部の一部は、金属で形成される第２のフレーム部（７２）で構成され、第２のフレーム部（７２）は全周にフランジが形成され、その一部は前記凹部が嵌るように切りかかれている、ことを特徴とする請求項１乃至５のいずれか１項に記載の撮像装置。
【請求項７】
前記凸部は、前記画像表示装置閉状態において前記装置本体の接地部（１２）よりも凹であることを特徴とする請求項１乃至６のいずれか１項に記載の撮像装置。
【請求項８】
前記凸部は、前記装置本体を接地した状態かつ前記画像表示装置閉状態において、前記上面側凹部を上から下に押した際に、前記画像表示装置のフレーム部底面よりも先に接地面に接触する高さで形成されていることを特徴とする請求項１乃至７のいずれか１項に記載の撮像装置。
【発明の詳細な説明】
【技術分野】
【０００１】
本発明は、装置本体に対し開閉可能な画像表示部を有する撮像装置に関するものである。
【背景技術】
【０００２】
一般的に、デジタルカメラやビデオカメラ等の撮像装置では、撮像された画像や各種情報を表示するためのＬＣＤ等の表示モジュールによる画像表示部を搭載している。このような撮像装置には、撮像装置本体に対し画像表示部含む画像表示装置を開閉操作及び回転操作可能に支持する機構部（以下、ヒンジ部）を介して回動操作可能に取付けられたものが提案されている（例えば、特許文献１参照）。
【０００３】
それらの撮像装置では、画像表示装置の開閉操作性を向上させる手段として、画像表示装置の一部に指掛け操作部を設置したものも多く、指掛け操作部の設置位置としてはヒンジ部面の対向面に設けられたものやヒンジ部面と垂直な上下側面に設けられたものが知られている（例えば、特許文献２参照）。
【０００４】
近年、撮像装置本体が小型化される一方で画像表示部は視認性向上のため大型化される傾向にあり、画像表示装置の底面がカメラ本体底面近傍まで延長された構成を持つものも存在する。このような構成を持つ撮像装置において、画像表示装置の一部に前述したような指掛け操作部を設置する場合、撮像装置本体を小さくするためには、指掛け操作部は凹形状とするのが望ましい。
【先行技術文献】
【特許文献】
【０００５】
【特許文献１】特開２０１１−４０８１６号公報
【特許文献２】特開２０１５−１２５３１０号公報
【発明の概要】
【発明が解決しようとする課題】
【０００６】
その中でも、画像表示装置の上下側面に指かけ操作部を有する構成では、カメラ本体接地状態、三脚座設置状態での操作時に上面側にのみ指をかけて開閉操作されることも想定される。その場合、画像表示装置には上方から下方に向けて力がかかるため、画像表示装置の底面が接地面と擦れて、画像表示装置外装の削れ、塗装剥がれ等が発生する可能性がある。
【０００７】
そこで、本発明の目的は、画像表示装置外装の削れや塗装剥がれを防止し、外観品位を保つことができる撮像装置を提供することである。
【課題を解決するための手段】
【０００８】
上記課題を解決する為の本発明に係る撮像装置は、
装置本体（１０）と、
画像表示部（７１）を有する平板状の画像表示装置（７０）と、
装置本体（１０）に対し、前記画像表示装置（７０）の画像表示部（７１）短辺側側面の一端に設けられ、前記画像表示装置（７０）を回動可能に支持する機構部（８０）と、を備え、
前記画像表示装置（７０）のフレーム部の一部は、樹脂部材で形成された第１のフレーム部（７３）で構成され、
第１のフレーム部（７３）は、前記画像表示装置（７０）の画像表示部（７１）長辺側両側面の機構部（８０）から離れた位置にフレーム部外形よりも凹である凹部（７４）を有し、
凹部近傍には、フレーム部外形よりも凸である凸部（７５）を有する、ことを特徴とする。
【発明の効果】
【０００９】
本発明によれば、画像表示装置外装の著しい削れや塗装剥がれを防止し、外観品位を保つことができる撮像装置を提供することができる。
【図面の簡単な説明】
【００１０】
【図１】本実施例に係る実施形態の一例であるデジタルカメラの画像表示装置の概略構成図
【図２】本実施例に係る実施形態の一例であるデジタルカメラの概略構成図
【図３】本実施例に係る実施形態の一例であるデジタルカメラの主要な電気的構成を示すブロック図
【図４】本実施例に係る実施形態の一例であるデジタルカメラの画像表示装置を回転軸Ｘ方向の操作部側から見た概略説明図
【図５】本実施例に係る実施形態の一例であるデジタルカメラの画像表示装置の形状例を示す概略図
【図６】本実施例に係る実施形態の一例であるデジタルカメラの画像表示装置の概略説明図
【発明を実施するための形態】
【００１１】
以下に、本発明の好ましい実施形態の一例を、添付の図面に基づいて詳細に説明する。
［実施例１］
まず、図２〜図３を参照して、本発明を適用したデジタルカメラの概略構成について説明する。
【００１２】
図２は本発明の実施形態の一例であるデジタルカメラの概略背面斜視図である。図３は、本発明の実施形態の一例であるデジタル一眼レフカメラの主要な電気的構成を示すブロック図である。図２に示すように、カメラ本体１０の上面には、撮像動作を実行するためのレリーズボタン１４とカメラ本体１０の電源のオン／オフを切り替えるための電源スイッチ１５が設けられている。カメラ本体１０の正面には撮影光束をカメラ内に導くための撮影レンズ１７（不図示）が設けられている。
【００１３】
カメラ本体１０の背面には、液晶表示板を利用した表示手段であり撮影画像や各種情報を表示するための画像表示部７１を片面に配置した略平板状の画像表示装置７０、撮影範囲を確認するためのファインダ１３が設置されている。更に、ファインダ撮影とライブビュー撮影を切り替えるためのライブビューボタン１６が設けられている。また、画像表示装置７０は、カメラ本体１０に対して画像表示装置７０を開閉軸Ｙ及び回転軸Ｘに回動可能に支持するヒンジ部８０を介して装着されており、画像表示部７１は、この回動可能な軸の回転の組合せによって様々な角度へ向きを変えることができる。
【００１４】
また、画像表示装置７０の長辺側両側面には、ヒンジ部８０から離れた位置に、画像表示装置７０を開閉操作する際に指を掛けるための指掛け操作部７４が設けられている（図２では下側は不図示、のちに詳細説明）。カメラ本体１０の指掛け操作部７４上側の周りは一部ざぐられ、指掛け操作部７４に指をかける際に指が十分入るよう指挿入部１１が設けられている。画像表示装置７０は、上下に設置された指掛け操作部７４に親指と人指し指を掛けて回転軸Ｙ周りに回動させることによって開くことができる。
【００１５】
なお、上述した以外の構成等についての説明はここでは省略するが、カメラ本体１０には、一般にカメラとして要求される機能を満足するための部品等が必要に応じて適宜付設されている。
【００１６】
図３は、本発明の実施形態の一例であるデジタル一眼レフカメラの主要な電気的構成を示すブロック図である。カメラ本体１０に内蔵されたマイクロコンピュータからなる中央処理装置（以下、「ＭＰＵ」と称する）２０は、カメラの動作制御を司るものであり、各要素に対して様々な処理や指示を実行する。ＭＰＵ２０には、入力検出回路２３、カラー液晶駆動回路２５、ミラー駆動回路２７、シャッタ駆動回路３３が接続されている。これらの回路は、ＭＰＵ２０の制御により動作するものである。
【００１７】
入力検出回路２３には、ライブビューボタン１６、レリーズボタン１４、電源スイッチ１５等の操作部材が接続されており、各操作部材の操作状態に応じて入力信号をＭＰＵ２０に送信する。光束分割手段であるメインミラー４は、ミラー駆動回路２７により駆動され、ファインダ１３で被写体像を観察可能とするミラーダウン位置と、撮影光束から待避するミラーアップ位置（不図示）とに配置される。
【００１８】
ファインダ１３で被写体像を観察しながら撮影する際、メインミラー４はミラーダウン位置をとる。この時、メインミラー４は撮影光軸５０に対して略４５°の角度に保持された状態で配置されており、撮影レンズ１７を通過して入射した撮影光束の一部を反射し、ペンタダハミラー３へと導く。ペンタダハミラー３へと導かれた撮影光束は、正立正像に変換反射され、ファインダ光学系を介してファインダ１３へと導かれる。これにより、撮影者はファインダ１３から被写体像を観察することができる。
【００１９】
一方、ライブビュー機能を用いて撮影を行う場合、メインミラー４はミラーアップ位置に配置される。この時、撮影レンズ１７を通過して入射した撮影光束は、開放されたシャッタユニット３２を通過して、撮像素子２６へと入射される。撮像光束は、撮像素子２６により光電変換され、アナログの画像信号として出力される。出力された信号はＡ/Ｄ変換器２８でアナログ信号からデジタル信号に変換され、ＭＰＵへ２０と送信される。ライブビュー撮影時は、この画像信号をカラー液晶駆動回路２５を介して画像表示部７１に逐次表示させることで撮像素子２６で結像した画像を画面上でリアルタイムに確認しながら撮影を行うことができる。
【００２０】
シャッタユニット（機械フォーカルプレーンシャッタ）３２は、撮影者がファインダ１３により被写体像を観察している時には、撮影光束を遮る。また、撮像時には不図示のシャッタ先幕とシャッタ後幕の走行する時間差により、撮像素子２６に対して所望の露光時間を得るように構成されている。
【００２１】
レリーズボタン１４は、スイッチＳＷ１とＳＷ２の２つの回路を備えており、スイッチＳＷ１はレリーズボタン１４の第１ストローク（半押し）によりオンされ、スイッチＳＷ２はレリーズボタン１４の第２ストローク（全押し）によりオンされる。スイッチＳＷ１がオンされると、不図示の焦点検出回路により焦点検出動作を開始する指示がＭＰＵ２０に送信され、スイッチＳＷ２がオンされると、撮影開始の指示がＭＰＵ２０に送信される。
【００２２】
撮影が開始されると、カメラは算出された露出値に基づき、所望の露光時間を得るようにシャッタユニット３２を駆動させる。撮像素子２６へと入射した撮像光束は、撮像素子２６で光電変換され、ＭＰＵ２０へと送信される。ＭＰＵ２０では、得られた撮像情報を記録画像へと変換し、カラー液晶駆動回路２５を介して記録画像を画像表示部７１に表示させる。
【００２３】
次に、図１及び図４〜図６を参照して、本発明の実施形態の一例について説明する。図１は、本発明の実施形態の一例であるデジタルカメラの画像表示装置を画像表示面から見たときの概略構成図であり、図１の上図は上面斜視図、図１の下図は下面斜視図を示している。図４は、画像表示装置７０を回転軸Ｘの開閉操作部側から見た側面図であり、かつ、上側の指掛け操作部のみで開閉操作を行った際の画像表示装置７０の動きの概略図を示している。図５は、指掛け操作部の形状例の拡大斜視図を示している。図６は突起部の必要凸量を説明するための模式図を示している。
【００２４】
図１に示すように、略平板状の画像表示装置７０の片面には薄板状のＬＣＤから成る画像表示部７１が配置されている。画像表示装置７０の外装を形成するフレーム部は、画像表示部７１を保持する表示側フレーム部７２とその背面に配置された背面側フレーム部７３から構成されている。本実施例においては、表示側フレーム部７２はプレス加工された金属板、背面側フレーム部７３は射出成型された樹脂材料から形成されている。なお、フレーム部の材質は金属板を用いた方が薄型化が可能であるが、本実施例の構成に限らず、画像表示部７１の保持構成等に応じて適宜組合せの選択が可能である。
【００２５】
また、本実施例においては、表と裏のフレーム部の材質が異なるため、素地のままだと色や表面性が異なり外観の統一感がないため、どちらのフレーム部にも塗装を施し外観の統一性を図っている。背面側フレーム部７３の長辺側両側面部には、画像表示装置７０を開閉軸Ｙ周りに開閉する際に指を掛けるための指掛け操作部７４がフレーム部外形よりも凹となるように設けられている。この指掛け操作部７４を凹形状で指がしっかりとかかるように形成するためには金属板金での形成は困難なため、樹脂材料で形成されたフレーム側に設けるのが好ましい。
【００２６】
更に、凹形状の指掛け操作部７４は、少なくともその一部を画像表示装置７０の厚み方向において画像表示部７１を含むモジュールの薄い箇所と重なるように配置させている。そうすることで、指掛け操作部７４の画像表示装置７０上下サイズへの影響を極力減らし、大きい画像表示部７１を採用しつつも画像表示装置７０の上下サイズを抑えることができる。更に、画像表示装置７０を薄型化するために、表示側フレーム部７２の全周に渡って形成されたフランジの一部を切欠き、そこに指掛け操作部７４が嵌るような構成としている。
【００２７】
仮に、指掛け操作部７４を凸形状にした場合、上側は凸量分だけ指挿入部１１を更に拡げるためのスペースを確保しなければならず、他の操作部品や本体内部の構造物のレイアウトに制限が出てしまう。一方、下側はカメラ本体底面よりも凸形状が飛び出さないようにカメラ本体底面と画像表示装置７０底面との間に凸量よりも広いスペースを確保しなければならない。そのため、その分カメラ本体１０を大きくするもしくは画像表示装置７０及び画像表示部７１を小さくする等の制限が出てしまう。
【００２８】
画像表示装置７０の開き操作は、操作部がヒンジ部８０から遠い程軽い力で操作できるため、この指掛け操作部７４はヒンジ部８０からできるだけ遠い位置に配置するのが好適である。例えば、図１に示すように、この指掛け操作部７４を長辺側の側面部からヒンジ部８０設置面と対向する短辺側側面まで跨って設置して、長辺と短辺の交わる角部にも指を掛けて操作できるような形状としてもよい。
【００２９】
また、本構成における画像表示装置７０の開き操作は、手に持って操作する通常操作時は、上下に設置された指掛け操作部７４に親指と人差し指を掛けて操作することを想定している。一方、カメラ本体１０を接地した状態やカメラ本体１０の底面に設けられた三脚座（不図示）に三脚を取付けた状態で開き操作する場合は、図４に示すように、上側の指掛け操作部７４にのみ指を掛けて操作することを想定している。この場合、画像表示装置７０は開き操作によりヒンジ部８０から離れた先端側に上方から下方に向けて力をかけて操作されるため、画像表示装置７０の底面はカメラ本体１０の底面に近づくように撓む。
【００３０】
この時、場合によっては画像表示装置７０の底面が接地面や三脚座面に対して擦れてしまい、削れや塗装の剥がれが発生し外観品位が損なわれる可能性がある。それを防止するため、本実施例においてはあらかじめ先当てさせるための突起部７５を指掛け操作部７４周辺に設置している。この突起部７５は、当接面積を出来る限り小さくしておくことで、突起部７５が擦れたとしても削れや塗装剥がれが目立たないようにしている。
【００３１】
また、この操作においては、画像表示装置７０は上から下に押下げられながら開き方向にも力Ｆが加えられるため、回転軸Ｘ周りに若干傾けられながら開かれることとなる。そのため、突起部７５が画像表示装置７０の底面よりも確実に先に接地面に接触するようにするためには、突起部７５は画像表示装置７０の板厚方向に延びるようにある一定の幅をもたせて設けた方が好適である。
【００３２】
但しこれに限らず、図５（ａ）に示すように指掛け操作部７４を板厚方向で挟み込むように２つの突起部７７を設置する、或いは図５（ｂ）のようにコの字状の突起部７８を設置しても同様の効果を得ることができる。なお、この操作によると、画像表示装置７０の底面はヒンジ部８０から離れた先端側程倒れて接地面に近づきやすいため、突起部７５の位置は図５に示すように先端側に設けた方が効果的である。
【００３３】
次に、図６を参照して突起部７５の必要な凸量について説明する。突起部７５の最小凸量は、画像表示装置７０の開閉操作時において、画像表示装置７０の最外形を形成しているフレーム部の底面が接地面に接触する前に突起部７５が確実に当接するような高さに設定する必要がある。まず、開閉軸Ｙからフレーム部底面の開閉操作部側端点ｅまでの長さをＬとし、フレーム部底面の開閉操作部側端点ｅから突起部７５までの距離をＣとする。そして、フレーム部の底面からカメラ本体１０の底面（接地用の接地部１２が設置されている場合はそちら）までの距離をＢとし、突起部７５のフレーム部底面からの凸量をＡとする。この時、最小凸量はＡ=Ｃ／Ｌ×Ｂ以上となればよい。
【００３４】
一方、突起部７５の最大凸量は画像表示装置７０の閉じ状態において接地面と接触しなければよいので、Ｂ以下となればよい。よって、突起部７５が必ず先に接地するために必要な凸量Ａは、Ｃ／Ｌ×Ｂ＜Ａ＜Ｂとなる。
【００３５】
なお、画像表示装置７０は回転軸Ｘで回転させることにより、画像表示部７１が撮影者側に向いている状態と被写体側に向いている状態の両方を取り得るため、突起部７５の好適な配置や形状の条件は上下いずれの突起部７５にも適応されるものである。更に、突起部の変形例７７、７８に関しても同様の条件が適応される。
【００３６】
以上説明したように、本実施例によれば、画像表示装置外装の削れや塗装剥がれを防止し、外観品位を保つことができる撮像装置を提供することができる。
【符号の説明】
【００３７】
３  ペンタダハミラー
４  メインミラー
１０  カメラ本体
１１  指挿入部
１２  接地部
１３  ファインダ
１４  レリーズボタン
１５  電源スイッチ
１６  ライブビューボタン
１７  撮影レンズ
２０  中央処理装置  
２３  入力検出回路
２５  カラー液晶駆動回路
２６  撮像素子
２７  ミラー駆動回路
２８  Ａ/Ｄ変換器
７０  画像表示装置
７１  画像表示部
７２  表示側フレーム部
７３  背面側フレーム部
７４  指掛け操作部
７５  突起部
８０  ヒンジ部
【図１】
2018105949.tif 000003
【図２】
2018105949.tif 000004
【図３】
2018105949.tif 000005
【図４】
2018105949.tif 000006
【図５】
2018105949.tif 000007
【図６】
2018105949.tif 000008